(57)【要約】【課題】  パターを使用する際の行為を利用して電池から制御部への通電をＯＮ・ＯＦＦし、クラブ本数確認と報知処理のときのみに電池を使用し、節電すること。【解決手段】  パターをパター専用区分け部から抜き取った時にＯＮし、該パターをパター専用区分け部に戻した時にＯＦＦするパタースイッチ３５と、該パタースイッチに並列接続され、パタースイッチのＯＮ後にＯＮされ、パタースイッチのＯＦＦ後の一定時間経過後にＯＦＦするスイッチング素子３６とを電池３４から制御部３０へ通電する回路に挿入する。制御部はパタースイッチのＯＮ後にスイッチング素子をＯＮし、パタースイッチのＯＮからＯＦＦへの切替わり時にクラブ本数の確認・報知処理を実行した後、制御部内に設けられた内部タイマの設定時間経過後にスイッチング素子をＯＦＦし、制御部への通電を切断する。【選択図】            図１
2005110826.tif 000002
【特許請求の範囲】
【請求項１】
ゴルフクラブ１本づつを分けて収納するクラブ区分け部が装備され、或いはクラブ区分け部が装着されるゴルフバッグに具備されるゴルフクラブ監視装置において、
各部へ電力を供給する電池と、
各クラブ区分け部に設けられたクラブ検知手段と、
使用するクラブ区分け部の個数を基に定められる基準クラブ本数を記憶するメモリと、
前記クラブ区分け部にパターを収納するパター専用区分け部を設け、該パター専用区分け部からパターを抜き取り後に該パターがパター専用区分け部に戻されたことを検知したとき前記クラブ検知手段からクラブ検知信号を取り込み、ゴルフクラブをカウントし、当該クラブ本数と前記基準クラブ本数とを比較判定する制御部と、
前記比較判定されたクラブ本数に基づいて処理された確認情報を報知する出力部と、
前記電池から前記制御部へ通電する回路に挿入され、パターをパター専用区分け部から抜き取った時にＯＮし、該パターをパター専用区分け部に戻した時にＯＦＦするパタースイッチおよび前記電池から前記制御部へ通電する回路に挿入され、かつ前記パタースイッチに並列接続されていると共に、前記制御部がＯＮ・ＯＦＦ制御し、前記パタースイッチのＯＮ後にＯＮされ、パタースイッチのＯＦＦ後の一定時間経過後にＯＦＦするスイッチング素子からなるスイッチ部と、
を備えていることを特徴とするゴルフクラブ監視装置。
【請求項２】
請求項１において、メモリには基準クラブ本数が固定情報として予め記憶されていることを特徴とするゴルフクラブ監視装置。
【請求項３】
請求項１において、スイッチ部はパタースイッチおよびスイッチング素子に並列に接続され、手動操作によりＯＮし、該手動操作の解除によって自動的にＯＦＦとなるセットスイッチを備え、
制御部が前記セットスイッチの手動操作により通電されたときクラブ検知手段からクラブ検出信号を取り込み、クラブ区分け部に収納されたゴルフクラブをカウントし、該カウント値を基準クラブ本数としてメモリに記憶させることを特徴とするゴルフクラブ監視装置。
【請求項４】
請求項１において、クラブ検知手段のパター検知がパタースイッチで構成されていることを特徴とするゴルフクラブ監視装置。
【請求項５】
請求項１において、パタースイッチがクラブ区分け部からパターを抜き挿しする際の機械的な操作によってＯＮ・ＯＦＦのスイッチングを行わせると共に、該スイッチングを検出する検知手段を備え、制御部が前記検知手段のＯＮからＯＦＦへのスイッチング信号によりクラブ本数の確認処理を開始させることを特徴とするゴルフクラブ監視装置。
【請求項６】
請求項１において、スイッチ部と電池との間に挿入された外部タイマ用スイッチング素子をＯＮ・ＯＦＦ制御するタイマ制御部と、該タイマ制御部に通電する回路に挿入され、手動操作によりＯＮし、手動操作の解除によって自動的にＯＦＦとなるタイマリセットスイッチとを備え、前記外部タイマ用スイッチング素子のパタースイッチ側がタイマリセットスイッチとタイマ制御部との間に接続され、タイマリセットスイッチのＯＦＦ後に前記外部タイマ用スイッチング素子を介して前記タイマ制御部に通電が維持されるよう構成されており、  
前記タイマ制御部はクラブ区分け部からパターが抜かれたとき前記パタースイッチのＯＮ時間を計時し、設定時間経過後に前記外部タイマ用スイッチング素子をＯＦＦにして通電を断ち、かつ前記タイマ制御部の電源を切ると共に、前記タイマリセットスイッチがＯＮ操作されたときタイマをリセットし、前記外部タイマ用スイッチング素子をＯＮにすることを特徴とするゴルフクラブ監視装置。
【請求項７】
請求項１において、制御部はパタースイッチのＯＮ・ＯＦＦ動作の繰り返しを監視し、所定時間内に設定回数以下の繰り返しのときパターの抜き挿し操作が正常に行なわれたことを判断し、クラブ検知手段からのクラブ検知信号に基づいてゴルフクラブをカウントすると共に、前記所定時間内に設定回数を超えた繰り返しがあったときゴルフクラブをカウントを行わないことを特徴とするゴルフクラブ監視装置。
【請求項８】
請求項１において、クラブ区分け部はパター専用区分け部を設け、該パター専用区分け部には該区分け部断面積の一部を狭めたり、狭めた断面積を広げたりする部材、或いは区分け部開口を開閉する部材が設けられ、該部材によりパタースイッチが操作されることを特徴とするゴルフクラブ監視装置。
【請求項９】
請求項１において、クラブ区分け部はパター専用区分け部を設け、該パター専用区分け部には該区分け部断面積の一部を狭めたり、狭めた断面積を広げたりする部材、或いは区分け部開口を開閉する部材が設けられ、該部材によりパタースイッチが操作されることを特徴とするゴルフクラブ監視装置。
【請求項１０】
請求項１において、クラブ検知手段および／または制御部はゴルフバックに組込み可能に構成されていることを特徴とするゴルフクラブ監視装置。
【請求項１１】
請求項１において、制御部および/またはパター区分け部はゴルフバックを搭載するカートに装着可能に構成されていることを特徴とするゴルフクラブ監視装置。
【請求項１２】
請求項１において、出力部は確認情報として、基準クラブ本数、確認クラブ本数、基準クラブ本数と確認クラブ本数が一致している時または一致していない時を報知することを特徴とするゴルフクラブ監視装置。
【請求項１３】
請求項１２において、確認情報として、パターがパター専用区分け部に戻さない時間が設定時間を超えたときそれを報知することを特徴とするゴルフクラブ監視装置。
【請求項１４】
請求項１２において、出力部が表示手段を備え、該表示手段に確認情報を目視可能な形態で報知することを特徴とするゴルフクラブ監視装置。
【請求項１５】
請求項１２において、出力部が発音手段を備え、確認クラブ本数の判定結果を音で報知することを特徴とするゴルフクラブ監視装置。
【請求項１６】
請求項１２において、出力部が発光手段を備え、確認クラブ本数の判定結果を発光で報知することを特徴とするゴルフクラブ監視装置。
【請求項１７】
請求項１〜３のいずれかの記載において、電池から制御部へ通電する回路に挿入され、かつスイッチ部に並列接続された警報機能作動スイッチを含むクラブ盗難防止検知手段と、警報機能作動スイッチのＯＮ時に警報機能作動中を点灯によって表示する表示部と、クラブ盗難報知/警報を発する出力部とを備え、
前記制御部が前記警報機能作動スイッチのＯＮを認識した後、盗難検知プログラムを実行してクラブ本数を監視し、当該クラブ本数に不足が生じたときクラブ盗難報知/警報を発することを特徴とするゴルフクラブ監視装置。
【請求項１８】
請求項１７において、警報機能作動スイッチが電気的な操作によってＯＮ・ＯＦＦされる構造であることを特徴とするゴルフクラブ監視装置。
【請求項１９】
請求項１７において、警報機能作動スイッチが機械的な操作によってＯＮ・ＯＦＦされる構造であることを特徴とするゴルフクラブ監視装置。
【請求項２０】
請求項１９において、警報機能作動スイッチがシリンダ錠で構成されていることを特徴とするゴルフクラブ監視装置。
【請求項２１】
請求項１７において、スイッチ部、警報機能作動スイッチと電池との間に挿入された外部タイマ用スイッチング素子を含み、該外部タイマ用スイッチング素子をＯＮ・ＯＦＦ制御するタイマ制御部と、該タイマ制御部に通電する回路に挿入され、手動操作によりＯＮし、手動操作の解除によって自動的にＯＦＦとなるタイマリセットスイッチとを備え、前記外部タイマ用スイッチング素子のパタースイッチ側がタイマリセットスイッチとタイマ制御部との間に接続され、タイマリセットスイッチのＯＦＦ後に外部タイマ用スイッチング素子を介してタイマ制御部に通電が維持されるよう構成されており、
前記タイマ制御部はクラブ区分け部からパターが抜かれたとき前記パタースイッチのＯＮ時間を計時し、設定時間経過後に前記外部タイマ用スイッチング素子をＯＦＦにして通電を断ち、かつタイマ制御部の電源を切ると共に、前記タイマリセットスイッチがＯＮ操作されたときタイマをリセットし、前記外部タイマ用スイッチング素子をＯＮにすることを特徴とするゴルフクラブ監視装置。
【発明の詳細な説明】
【技術分野】
【０００１】
本発明は、プレイ中のゴルフクラブの置き忘れなどによるクラブ本数の変化を検出して報知し、その後の対応を迅速かつ適確に行えるようにしたゴルフクラブ本数監視装置に関し、特にパタークラブを使用する際に、パタークラブを所定位置から抜いたり、或いは当該所定位置に戻す操作によってクラブ本数の確認を行うとともに、電池の消耗を少なくするよう制御部への給電を制御する機能を有するゴルフクラブ本数確認および／またはゴルフクラブ盗難予防警報の機能を備えたゴルフクラブ監視装置に関する。
【背景技術】
【０００２】
プレイヤー自身又はキャディがゴルフバッグを積んだカートを移動させたり、またはプレイヤー自身やキャディがゴルフバッグを肩に背負ったり、あるいはゴルフカートに積んで各ホールを回ってプレイする場合、当該ホールで使用したクラブを当該ホールをホールアウトするまでの途中にうっかり置き忘れしまうことがある。この置き忘れクラブは、次のホールのティグランドか或いはプレー中に気付いたり、あるいはその後のホールで使用しようとした時に気付いたりして慌てるのみならず一緒にプレーしている他のプレーヤーに迷惑を掛けたりすることがある。場合によってはラウンド終了まで気付かず、クラブのチェック時に初めて置き忘れた事に気付いたり気付かずに帰宅してしまうこともある。特に、ラウンド中においては、前のホールに置き忘れクラブを取りに行くことによりプレイの進行を遅らせたり、プレイのリズムを狂わす事がある。また、置き忘れによりクラブを紛失することもある。
【０００３】
このようなクラブの置き忘れを監視する装置は、本出願人が提案して特許文献１に記載されている。
特許文献１のゴルフクラブ本数確認装置は、クラブをクラブ区分け部に入れるとグリップでセンサボタンが押されることによりセンサ信号を制御部に入力し、パターがゴルフバッグに戻されたことを示すパター検知センサからのパター信号により、クラブ本数の確認処理を実行し、クラブの置き忘れなどによりクラブ本数の変化を判定し報知するものである。
【０００４】
【特許文献１】特許第２５５４３１２号
【発明の開示】
【発明が解決しようとする課題】
【０００５】
従来のクラブ本数確認装置はクラブの置き忘れなどによりクラブ本数が変化すると警報が発せられので、使用者が迅速に対処することができる。この種の装置は電池を電源として動作するため、メインスイッチのＯＮ時間だけ電池が消耗することになる。クラブ本数の確認処理とその確認情報を使用者に伝えるなどの動作を行う際に、電池からの給電により装置が起動し上記動作が可能な状態になれば、電池を最も有効に使用することになり、環境にも優しいものとなる。しかしながら、従来装置における電池の省エネルギーについては何等配慮がなされていなかった。
【０００６】
一方において、ゴルフクラブの開発が進みハイテク化するに従いドライバー、パター等の機能も飛躍的に上昇すると共に価格も高くなり、ゴルフ場等に於いて盗難が増えており、これらの対策も望まれている。
【０００７】
本発明の目的は、ゴルフバッグに装着され、該ゴルフバッグに収容されたクラブの置き忘れなどによるクラブ本数の変化を判定すると共に、パターを使用する際の行為を利用して電池から制御部への通電をＯＮ・ＯＦＦし、クラブ本数確認と報知処理のときのみに電池を使用するようにしたゴルフクラブ本数監視装置を提供することにある。
【０００８】
本発明の他の目的は、プレーのスタート前、或いは昼食中などプレーヤーやキャディーがゴルフバッグから離れた際に盗難に会った時或いは盗難に瀕した時に警報を発する機能を有するゴルフクラブ本数監視装置を提供することにある。
【課題を解決するための手段】
【０００９】
請求項１の発明は、ゴルフクラブ１本づつを分けて収納するクラブ区分け部が装備され、或いはクラブ区分け部が装着されるゴルフバッグに具備されるゴルフクラブ監視装置において、各部へ電力を供給する電池と、各クラブ区分け部に設けられたクラブ検知手段と、使用するクラブ区分け部の個数を基に定められる基準クラブ本数を記憶するメモリと、クラブ区分け部にパターを収納するパター専用区分け部を設け、該パター専用区分け部からパターを抜き取り後に該パターがパター専用区分け部に戻されたことを検知したとき前記クラブ検知手段からクラブ検知信号を取り込み、ゴルフクラブをカウントし、当該クラブ本数と基準クラブ本数とを比較判定する制御部と、比較判定されたクラブ本数に基づいて処理された確認情報を報知する出力部と、電池から制御部へ通電する回路に挿入され、パターをパター専用区分け部から抜き取った時にＯＮし、該パターをパター専用区分け部に戻した時にＯＦＦするパタースイッチおよび電池から制御部へ通電する回路に挿入され、かつパタースイッチに並列接続されていると共に、制御部がＯＮ・ＯＦＦ制御し、パタースイッチのＯＮ後にＯＮされ、パタースイッチのＯＦＦ後の一定時間経過後にＯＦＦするスイッチング素子からなるスイッチ部とを備えていることを特徴とする。
【００１０】
請求項２の発明は、請求項１において、メモリには基準クラブ本数が固定情報として予め記憶されていることを特徴とする。
【００１１】
請求項３の発明は、請求項１において、スイッチ部はパタースイッチおよびスイッチング素子に並列に接続され、手動操作によりＯＮし、該手動操作の解除によって自動的にＯＦＦとなるセットスイッチを備え、制御部がセットスイッチの手動操作により通電されたときクラブ検知手段からクラブ検出信号を取り込み、クラブ区分け部に収納されたゴルフクラブをカウントし、該カウント値を基準クラブ本数としてメモリに記憶させることを特徴とする。
【００１２】
請求項４の発明は、請求項１において、クラブ検知手段のパター検知がパタースイッチで構成されていることを特徴とする。
【００１３】
請求項５の発明は、請求項１において、パタースイッチがクラブ区分け部からパターを抜き挿しする際の機械的な操作によってＯＮ・ＯＦＦのスイッチングを行わせると共に、該スイッチングを検出する検知手段を備え、制御部が検知手段のＯＮからＯＦＦへのスイッチング信号によりクラブ本数の確認処理を開始させることを特徴とする。
【００１４】
請求項６の発明は、請求項１において、スイッチ部と電池との間に挿入された外部タイマ用スイッチング素子のＯＮ・ＯＦＦ制御するタイマ制御部と、該タイマ制御部に通電する回路に挿入され、手動操作によりＯＮし、手動操作の解除によって自動的にＯＦＦとなるタイマリセットスイッチとを備え、外部タイマ用スイッチング素子のパタースイッチ側がタイマリセットスイッチとタイマ制御部との間に接続され、タイマリセットスイッチのＯＦＦ後に外部タイマ用スイッチング素子を介してタイマ制御部に通電が維持されるよう構成されており、タイマ制御部はクラブ区分け部からパターが抜かれたときパタースイッチのＯＮ時間を計時し、設定時間経過後に外部タイマ用スイッチング素子をＯＦＦにして通電を断ち、かつタイマ制御部の電源を切ると共に、タイマリセットスイッチがＯＮ操作されたときタイマをリセットし、外部タイマ用スイッチング素子をＯＮにすることを特徴とする。
【００１５】
請求項７の発明は、請求項１において、制御部はパタースイッチのＯＮ・ＯＦＦ動作の繰り返しを監視し、所定時間内に設定回数以下の繰り返しのときパターの抜き挿し操作が正常に行なわれたことを判断し、クラブ検知手段からのクラブ検知信号に基づいてゴルフクラブをカウントすると共に、所定時間内に設定回数を超えた繰り返しがあったときゴルフクラブをカウントを行わないことを特徴とする。
【００１６】
請求項８の発明は、請求項１において、クラブ区分け部はパター専用区分け部を設け、該パター専用区分け部には該区分け部断面積の一部を狭めたり、狭めた断面積を広げたりする部材、或いは区分け部開口を開閉する部材が設けられ、該部材によりパタースイッチが操作されることを特徴とする。
【００１７】
請求項９の発明は、請求項１において、クラブ区分け部はパター専用区分け部を設け、該パター専用区分け部には該区分け部断面積の一部を狭めたり、狭めた断面積を広げたりする部材、或いは区分け部開口を開閉する部材が設けられ、該部材によりパタースイッチが操作されることを特徴とする。
【００１８】
請求項１０の発明は、請求項１において、クラブ検知手段および／または制御部はゴルフバックに組込み可能に構成されていることを特徴とする。
【００１９】
請求項１１の発明は、請求項１において、制御部および/またはパター区分け部はゴルフバックを搭載するカートに装着可能に構成されていることを特徴とする。
【００２０】
請求項１２の発明は、請求項１において、出力部は確認情報として、基準クラブ本数、確認クラブ本数、基準クラブ本数と確認クラブ本数が一致している時または一致していない時を報知することを特徴とする。
【００２１】
請求項１３の発明は、請求項１２において、確認情報として、パターがパター専用区分け部に戻さない時間が設定時間を超えたときそれを報知することを特徴とする。
【００２２】
請求項１４の発明は、請求項１２において、出力部が表示手段を備え、該表示手段に確認情報を目視可能な形態で報知することを特徴とする。
【００２３】
請求項１５の発明は、請求項１２において、出力部が発音手段を備え、確認クラブ本数の判定結果を音で報知することを特徴とする。
【００２４】
請求項１６の発明は、請求項１２において、出力部が発光手段を備え、確認クラブ本数の判定結果を発光で報知することを特徴とする。
【００２５】
請求項１７の発明は、請求項１〜３のいずれかの記載において、電池から制御部へ通電する回路に挿入され、かつスイッチ部に並列接続された警報機能作動スイッチを含むクラブ盗難防止検知手段と、警報機能作動スイッチのＯＮ時に警報機能作動中を点灯によって表示する表示器と、クラブ盗難報知/警報を発する出力部とを備え、制御部が警報機能作動スイッチのＯＮを認識した後、盗難検知プログラムを実行してクラブ本数を監視し、当該クラブ本数に不足が生じたときクラブ盗難報知/警報を発することを特徴とする。
【００２６】
請求項１８の発明は、請求項１７において、警報機能作動スイッチが電気的な操作によってＯＮ・ＯＦＦされる構造であることを特徴とする。
【００２７】
請求項１９の発明は、請求項１７において、警報機能作動スイッチが機械的な操作によってＯＮ・ＯＦＦされる構造であることを特徴とする。
【００２８】
請求項２０の発明は、請求項１９において、警報機能作動スイッチがシリンダ錠で構成されていることを特徴とする。
【００２９】
請求項２１の発明は、請求項１７において、スイッチ部、警報機能作動スイッチと電池との間に挿入された外部タイマ用スイッチング素子を含み、該外部タイマ用スイッチング素子をＯＮ・ＯＦＦ制御するタイマ制御部と、該タイマ制御部に通電する回路に挿入され、手動操作によりＯＮし、手動操作の解除によって自動的にＯＦＦとなるタイマリセットスイッチとを備え、外部タイマ用スイッチング素子のパタースイッチ側がタイマリセットスイッチとタイマ制御部との間に接続され、タイマリセットスイッチのＯＦＦ後に外部タイマ用スイッチング素子を介してタイマ制御部に通電が維持されるよう構成されており、タイマ制御部はクラブ区分け部からパターが抜かれたときパタースイッチのＯＮ時間を計時し、設定時間経過後に外部タイマ用スイッチング素子をＯＦＦにして通電を断ち、かつタイマ制御部の電源を切ると共に、タイマリセットスイッチがＯＮ操作されたときタイマをリセットし、外部タイマ用スイッチング素子をＯＮにすることを特徴とする。
【発明の効果】
【００３０】
請求項１の発明によれば、本システムを装備することにより、必ず各ホールで使用するパターの抜き／戻し動作によって自動的に電源がＯＮ／ＯＦＦすると共に、パターの戻しを検出したときクラブ確認が行われるので、電源の入れ忘れが無くなり、プレイヤー自身がクラブ確認を怠った場合でもクラブの置き忘れがあれば報知され、クラブの紛失を防止することができると共に、少なくとも次のホールでクラブの置き忘れが分かるため、クラブ捜しのためプレイ進行を遅らせるなどのトラブルを最小限に抑えられる。また、電源はクラブ本数の確認が終了し、その報告が使用者に伝えられた後、次にパターが使用されるまでの間ＯＦＦされる、つまり本装置が必要な時のみ制御部に電力が供給されるため、電池の消耗が極力抑えられる。
【００３１】
請求項２の発明によれば、クラブ本数を確認するときの基準クラブ本数が予め記憶されているので、構成が簡略化される。
【００３２】
請求項３の発明によれば、セットスイッチを設けることで、その操作には使用者の意思が働くので、当日に使用するクラブの数を基準クラブ本数として記憶させる行為が確実になされると共に、使用するクラブ本数を変えたい時に便利である。
【００３３】
請求項６の発明によれば、パターをパター専用区分け部に長時間戻さなかったり、或いは他のクラブ区分け部に戻したりしてパタースイッチのＯＮ状態がタイマ制御部に設定した時間を超えたとき各部への通電を断ち、電池の消耗を抑える。
【００３４】
請求項７の発明によれば、クラブ本数確認・報知処理がパタースイッチのＯＮからＯＦＦに切り替わるタイミングで実行されるので、カート移動時の振動によりパターがパター専用区分け部内においてバタバタしたりすることでパタースイッチがＯＮ・ＯＦＦを繰り返す現象（チャタリング）が起こる恐れがある。このようなチャタリングが起こっているときは上記処理の実行しないことで、高い信頼性が得られる。
【００３５】
請求項１７の発明によれば、クラブ盗難防止検知機能を備えることで、機能動作中を表示器の点灯によりはっきりさせて、盗み難い状況になるため、本装置の付加価値が高められる。また、プレーのスタート前、或いは昼食中などプレーヤーやキャディーがゴルフバッグから離れた際に盗難に会った時或いは盗難に瀕した時に警報が発せられるので、近くに居る者が気付いて迅速に対応することができる。
【発明を実施するための最良の形態】
【００３６】
電池の消耗を抑える為、本発明はパタークラブ（以下単にパターと称す）をパター専用区分け部に対して抜き挿しによって電池から制御部および出力部への通電を制御するスイッチ部をクラブ本数監視装置に備え、クラブ確認処理に必要な間だけ電池を利用することで実現した。また、上記の実現手段を利用し、さらに警報機能作動スイッチを電源回路に挿入し、該スイッチのＯＮ時に盗難検知プログラムを実行することでクラブ盗難防止検知を実現した。
【実施例１】
【００３７】
図１は本発明の実施例１の構成を示すブロック図である。実施例１は電池から制御部への通電回路に挿入されたスイッチ部がパターをパター専用区分け部に対して抜き挿しすることで制御部への通電をＯＮ・ＯＦＦするように構成されているとともに、制御部のメモリにはクラブ本数を確認するときの基準クラブ本数を固定情報として、工場出荷時に記憶されている。
【００３８】
制御装置はクラブ本数の確認処理、およびその結果に基づく警報を行う制御部３０、および制御部３０からの報知信号に基づいて動作する出力部３１とからなっている。制御部３０は入出力用インターフェース（Ｉ／Ｏ）、メモリ、ＣＰＵからなるＭＰＵで構成されており、電池３４から電源が供給される。メモリにはクラブ区分け部に収納が定められたクラブ本数を基準クラブ本数に定め、この基準クラブ本数を固定情報として工場出荷時に予め記憶して置く。更にメモリにはクラブ本数の確認処理に必要なデータやクラブ本数確認の為のプログラムが格納されている。
【００３９】
制御部３０はパター専用区分け部からパターを抜き取り後に該パターがパター専用区分け部に戻されたことを検知したときクラブ検知手段３２からの検出信号を取り込み、この検出信号に基づいてカウントしたクラブ本数とメモリに記憶した基準クラブ本数とを比較判定を行って、確認クラブ本数や基準クラブ本数と確認クラブ本数が一致している時または一致していない時の報知信号を出力部３１へ出力する。
【００４０】
出力部３１はブザー（BZ）３１Ａやスピーカ（SP）３１Ｃなどの発音手段および／または発光ダイオード（LED）３１Ｂなどの表示手段により構成されており、制御部３０で処理された確認情報としてクラブの置き忘れなどを報知する。目視可能な形態として、例えばＬＥＤなどを点灯させる同時にクラブの置き忘れなどのメッセージを発音し、プレイヤーに注意を促す。プレイヤーは表示あるいは報知によりクラブ確認を促す。この報知によりクラブの置き忘れなどに気付き、そのための行動を迅速かつ適確に取ることができ、ゲームのトラブルを最小限にすることができる。
【００４１】
クラブ検知手段３２はゴルフバッグに装備、或いは装着されるゴルフクラブ１本づつを分けて収納するクラブ区分け部にセンサが配置されており、このセンサの検出信号が制御部３０に取り込まれる。本例ではパタースイッチ３５が後述のスイッチ部を兼ねているので、パタースイッチ３５はパター専用区分け部に配置され、パターの抜き挿しによりスイッチイングした際の電気的変化をインバータ３７を介して制御部３０に取り込んでいる。
【００４２】
スイッチ部３３は電池３４から制御部３０へ通電する回路に並列的に挿入されたパタースイッチ３５とスイッチング素子３６とから構成されている。パタースイッチ３５はパターをパター専用区分け部から抜き取った時に電池側のａ接点に接続してＯＮし、該パターをパター専用区分け部に戻した時に接地側の接点ｂに接続してＯＦＦする。スイッチング素子３６は制御部３０がＯＮ・ＯＦＦ制御する。
【００４３】
制御部３０はパタースイッチ３５がＯＮしたとき、この変化をインバータ３７を介して取り込み、スイッチング素子３６のベース電流を制御してスイッチング素子３６を導通（ＯＮ）する、一方パタースイッチ３５がＯＦＦするとその状態をインバータ３７を介して取り込み、スイッチング素子３６を一定時間（Ｔsec）経過後にベース電流を断ち、スイッチング素子３６を不導通（ＯＦＦ）にする。上記Ｔsecの間にクラブ確認処理が実行される。
【００４４】
実施例１の動作を図２を用いて説明する。先ず、パター専用区分け部からパターを抜き、パタースイッチ３５をＯＮにし、制御部３０に通電する。制御部３０はスイッチング素子３６をＯＮし、通電を自己保持する。パターがパター専用区分け部に戻されてパタースイッチ３５がＯＦＦすると、制御部３０は内部タイマ(Ｔsec)を起動し、クラブ検知手段３２の検知信号を取り込み、クラブ本数の確認処理とその結果に基づく報知処理を行う。その後、内部タイマの設定時間(Ｔsec)が経過するとスイッチング素子３６がＯＦＦされ、制御部３０の電源が断たれる。
【実施例２】
【００４５】
図３は本発明の実施例２の構成を示すブロック図である。実施例２は電池３４から制御部３０への通電回路に挿入されたスイッチ部３３がパターをパター専用区分け部に対して抜き挿しすることで制御部３０への通電をＯＮまたはＯＦＦするように構成されているとともに、クラブ本数を確認するときの基準クラブ本数を制御部３０のメモリにセットするセットスイッチ３８を設けたものである。
【００４６】
スイッチ部３３はパタースイッチ３５とスイッチング素子３６にセットスイッチ３８が並列接続されている。パターを含むクラブをクラブ区分け部に収納した状態ではパタースイッチ３５とスイッチング素子３６がＯＦＦになっているので、制御部３０への通電は行われない。セットスイッチ３８は手動操作として押圧（押し込み）によりＯＮし、該押圧を止めてセットスイッチ３８から手を離すと自動的にＯＦＦとなる構造であり、押圧により制御部３０に通電される。この操作により制御部３０に通電されるとスイッチング素子３６がＯＮされ、その通電を自己保持する。セットスイッチ３８から手を離してＯＦＦになってもスイッチング素子３６を介して制御部３０への電源の供給は確保される。
【００４７】
セットスイッチ３８のＯＮ操作はインバータ３９を介して制御部３０に取り込まれる。制御部３０は上記のタイミングでクラブ検知手段からの検出信号を取り込み、クラブ本数をカウントし、これを基準クラブ本数としてメモリに記憶する。その後、パターの抜き挿しによってクラブ本数の確認および報知処理が前述の実施例１と同様に実行される。
【００４８】
実施例２の動作を図４を用いて説明する。先ず、セットスイッチ３８をＯＮにし、制御部３０に通電する。制御部３０はスイッチング素子３６をＯＮし、通電を自己保持する。制御部３０はクラブ検知手段３２からの検知信号を取り込み、クラブ本数のカウントし、基準クラブ本数としてメモリに記憶する。パター専用区分け部からパターが抜かれて戻されたことをパタースイッチ３５の状態変化で検知し、内部タイマ（Ｔsec）を起動する。そして、クラブ本数の確認処理とその結果に基づく報知処理を行う。その後、内部タイマの設定時間Ｔsecが経過するとスイッチング素子３６がＯＦＦされ、制御部３０の電源が断たれる。
【実施例３】
【００４９】
図５は本発明の実施例３の構成を示すブロック図、図６は外部タイマ回路である。実施例３は実施例１で説明した電池３４とスイッチ部３３の間に外部タイマ４０を挿入し、通常のプレイ時間を大きい超えてもパター専用区分け部にパターが戻されないとき制御部３０への通電を断つように構成されている。
【００５０】
外部タイマ４０はスイッチ部３３と電池３４との間に挿入された外部タイマ用スイッチング素子４２（以下外部タイマ用スイッチング素子と称す）のＯＮ・ＯＦＦ制御するＭＰＵからなるタイマ制御部４１と、電池３４から該タイマ制御部４１へ通電する回路に挿入され、手動操作によりＯＮし、手動操作の解除によって自動的にＯＦＦとなるタイマリセットスイッチ４３とを備えている。外部タイマ用スイッチング素子４２のパタースイッチ側がタイマリセットスイッチ４３とタイマ制御部４１との間に接続され、タイマリセットスイッチ４３のＯＦＦ後に外部タイマ用スイッチング素子４２を介してタイマ制御部４１に通電が維持される。
【００５１】
タイマ制御部４１はインバータ３７の出力側からパタースイッチ３５のＯＮ信号を取り込み、クラブ区分け部からパターが抜かれたときのパタースイッチのＯＮ信号で計時を開始し、設定時間(Ｔ)経過後に外部タイマ用スイッチング素子４２をＯＦＦにして通電を断ち、かつタイマ制御部４１の電源を切ると共に、タイマリセットスイッチ４３がＯＮ操作されたとき外部タイマ４０をリセットし、外部タイマ用スイッチング素子４２をＯＮにする。
【００５２】
外部タイマ４０を実施例２に適用するときはセットスイッチ３８とタイマリセットスイッチ４３を同時に操作可能なスイッチに変更するか、或いはタイマリセットスイッチ４３のＯＮ操作で制御部３０とタイマ制御部４０の双方に通電し、それぞれの制御部がスイッチング素子３６と４２によって通電が自己保持されるように構成することもできる。
【００５３】
実施例３の動作を図７を用いて説明する。ここでは実施例１に外部タイマを付加させたものである。先ず、タイマリセットスイッチ４３をＯＮにし、タイマ制御部４１に通電し、それを自己保持するとともに、タイマ動作が開始される。このとき、パター専用区分け部にパターが入っていれば、一旦パターを抜き、パタースイッチ３５をＯＮにする。或いはタイマリセットスイッチ４３をＯＮする前に、パター専用区分け部からパターを抜き、パタースイッチ３５をＯＮさせておく。これらの操作により制御部３０に通電される。同時にスイッチング素子３６がＯＮされので、それ以降、パターが戻されても制御部３０への通電は維持される。
【００５４】
制御部３０はスイッチング素子３６をＯＮし、通電を自己保持する。パターがパター専用区分け部に戻されてパタースイッチ３５がＯＦＦすると、制御部３０は内部タイマ（Ｔsec）を起動し、クラブ検知手段３２からクラブ検知信号を取り込み、クラブ本数の確認処理とその結果に基づく報知処理を行う。その後、内部タイマの設定時間Ｔsecが経過するとスイッチング素子３６がＯＦＦされ、制御部３０の電源が断たれる。外部タイマ４０の設定時間Ｔ内ではパターの抜き挿しによるパタースイッチ３５のＯＮからＯＦＦに切り替わるタイミングでクラブ本数の確認および報知処理が行われるが、この設定時間Ｔを経過すると外部タイマ用スイッチング素子４２がＯＦＦされるので、装置全体の電源が切られる。
【００５５】
次に実施例１〜３に共通なクラブ検知およびクラブ本数確認・報知について説明する。
【００５６】
図８は具体例１のクラブ区分け部を備えたゴルフバッグの一部破断した外観図、図９は平面図である。本例はゴルフバッグにクラブ区分け部と制御部を装備した構造に特徴を有するものである。ゴルフバッグ１の内部には１番ウッド、３番ウッドなどのウッド系ピッチングウエッジ、９番アイアン、８番アイアンなどのアイアン系やパターなどのゴルフクラブ２を１本づつ分けて収納するための複数のクラブ区分け部３が設けられている。クラブ区分け部３はクラブ区分け板３ａによって形成されており、各クラブ区分け部３にはクラブ２を検出するクラブ検知手段３２（以下センサと称す）が配置されている。
【００５７】
図１０にセンサの配置例を示す。センサ３２は各クラブ区分け部の底板６に取り付けられており、そのセンサボタン５が底板からクラブ区分け部の内方に突出して設けられている。クラブ２をクラブ区分け部３に収納したとき、クラブグリップ２ａでセンサボタン５が押されることによりセンサ３２の信号が後述の制御部３０に入力される。センサ３２として、押圧スイッチを用いた場合は、クラブグリップ２ａによってセンサボタン５が押されると、スイッチの状態が変化する。この状態変化信号を制御部３０が読み取ってクラブ本数の確認処理を実行する。
【００５８】
パタースイッチを詳しく説明する。図１１Ａはパタースイッチの具体例１の構成図である。パター専用区分け部４の開口４ａに開閉部材５０を設け、この開閉部材５０をパター２Ｐを抜き挿しする際に開閉するとパタースイッチ３５がＯＮ・ＯＦＦされる。
図１１Ｂはパタースイッチの具体例２の構成図である。パター専用区分け部４の内方に、区分け部断面積の一部を狭めたり、狭めた断面積を広げたりする部材５２を設け、該部材５２をパターのグリップによりパタースイッチ３５のスイッチ操作するよう構成されている。
【００５９】
図１２はクラブ区分け部の具体例２の構成を示す。本例はクラブを１本づつ区分けして収納するためのクラブ区分け部をゴルフバツグに着脱可能に装着した構造に特徴を有するものである。クラブ区分け部１０はマス目状のクラブ区分け部１１を一体形成したもので、ゴルフバッグ１の上部開口部内側に装着される。クラブ区分け部の１つはパター専用になっており、バター区分け部１１ａの上面にはパターの収納位置を示すマークや表示１２が付けられている。各クラブ区分け部１１にはクラブ検知手段、例えば静電容量型センサが配置されている。
【００６０】
図１３に具体例３のクラブ区分け部を示す。本例はゴルフバックに開口部縁５１やゴルフバックの開口部を複数に仕切った壁部分などの被係止部分に装着されるリング状部材７０である。リング状部材７０はクラブのグリップが貫通する口径を有し、その外周には上方から被係止部分に差し込んで取り付けるための係止片７１が設けられている。各リング状部材７０にはクラブを検知するためのセンサが配置されており、センサの検知信号を信号線（図示せず）により制御部３０に接続される。
【００６１】
次にクラブ本数確認・報知処理について説明する。
【００６２】
図１４に実施例１のフローを示す。このフローは図２の「クラブ本数確認・報知処理」の手順を示すものである。
【００６３】
パターがパター専用区分け部から抜かれると（Ｓ１）、ｔ１分経過を判断する（Ｓ２）。これによりパターを抜いて直ぐに収めた場合はパターの使用と見なさないで、ステップ１に戻り次にパターが抜かれるのを待つ。パターが抜かれてｔ１分経過後にパターが戻されたかを判断し（Ｓ３）、パターが戻されているときはクラブ検出手段からクラブ検知信号を取り込み（Ｓ４）、クラブ区分け部にあるクラブをカウントし、当該クラブ本数とメモリに記憶されている基準クラブ本数と比較し、クラブ本数確認処理を行う（Ｓ５）。その結果クラブ置き忘れなどによりクラブ本数に不足が生じているか否かを判断する（Ｓ６）。クラブ本数に不足が生じていないときはステップ１にリターンする。一方、クラブ本数に不足が生じているときはクラブ置き忘れ警報を発し（Ｓ７）、プレイヤーに注意を促す。その後ｔ２分経過したかをチェックし（Ｓ８）、その間にクラブ置き忘れに対する処置が行われる。ｔ２経過後に、再度クラブ検出手段からクラブ検知信号を取り込み（Ｓ９）、クラブ本数の確認処理を行って（Ｓ１０）、クラブが戻されていればステップ１にリターンする（Ｓ１１）。まだクラブが戻されていないときは、ステップ７にリターンし、再度警報を発する。
【００６４】
本発明の他の実施形態について説明する。
図１５はクラブ本数確認・報知機能とクラブ盗難防止検知機能を実現するためのブロック図である。クラブ盗難防止検知手段６０はスイッチ部３３に警報機能作動スイッチ６１が並列接続され、電池３４から制御部３０へ通電する回路に挿入される。警報機能作動スイッチ６１を電気的または機械的な機構６２によりＯＮ・ＯＦＦする。電気的な機構としては押しボタン型、トグルスイッチ型、更には接触型或いは非接触型半導体カード型等により構成される。押しボタン型は予め定めた手順で操作されることにより警報機能作動スイッチ６１をＯＮ・ＯＦＦされるよう構成される。機械的な機構は代表的なシリンダ錠型があり、キー穴にキーを挿し込み回転させることで警報機能作動スイッチ６１がＯＮ・ＯＦＦされる。警報機能作動スイッチ６１のＯＮにより表示器６３、例えばＬＥＤが点灯する。表示器６３は装置本体のスイッチ類が配置されたパネルに警報機能が有ることを明示する文字とともに配置される。警報機能作動スイッチ６１がＯＮするとそのスイッチングがインバータ６４を介して制御部３０に取り込まれて検出される。
【００６５】
図１６はクラブ本数確認・報知機能とクラブ盗難防止検知機能と長時間の不使用時に電源を断つタイマ機能とを実現するためのブロック図である。本例は図１５に示すスイッチ部３３とクラブ盗難防止検知手段６０と電池３４との間に外部タイマ部４０を挿入したものである。外部タイマ部４０は実施例３と同一なので、そのタイマ機能の説明を省略する。外部タイマ部４０が動作中に警報機能作動スイッチ６１をＯＮするとクラブ盗難検知プログラムを実行し、クラブ盗難を監視する。
【００６６】
図１に示す実施例１にクラブ盗難防止検知機能を付加した場合を動作を説明する。図１７にフローを示す。電気的な操作または機械的な操作機構６２を使用者が操作すると、制御部３０は盗難検知プログラムを実行し、警報機能作動スイッチ６１がＯＮされると表示器６３を点灯し、クラブ検知手段３２からの検知信号を取り込み、基準クラブ本数と照合し、クラブが抜かれた否かを判断される。クラブが抜かれたと判断されると盗難報知の処理が実行される。クラブが抜かれていないときは再度クラブ検知手段３２からの検知信号を取り込み、クラブが抜かれた否かを判断される。これを繰り返し処理することでクラブ盗難の監視が行われる。盗難報知はクラブ本数確認の報知とは異なる形態として、例えば高い音色の出力で出力部３１のブザーＢＺを動作させる。これによりクラブを抜き取った者がその場から遠くに離れる前に周辺の者に気付かせることができる。警報機能作動スイッチがＯＦＦのときは表示器６３を消灯し、通常使用によるパターの抜き挿しによりクラブ本数確認・報知処理が実行される。
【図面の簡単な説明】
【００６７】
【図１】本発明の実施例１の構成を示すブロック図である。
【図２】実施例１の動作フローを示す図である。
【図３】本発明の実施例２の構成を示すブロック図である。
【図４】実施例２の動作フローを示す図である。
【図５】本発明の実施例３の構成を示すブロック図である。
【図６】外部タイマ回路図である。
【図７】実施例３の動作フローを示す図である。
【図８】具体例１のゴルフバッグの一部破断した外観図である。
【図９】ゴルフバッグの平面図である。
【図１０】センサの配置例を示す図である。
【図１１Ａ】パター専用区分け部の一つの例を示す図である。
【図１１Ｂ】パター専用区分け部の他の例を示す図である。
【図１２】具体例２のゴルフバッグの一部破断した外観図である。
【図１３】具体例３のゴルフバッグに係止するクラブ区分け部を示す図である。
【図１４】クラブ本数確認・報知処理のフローを示す図である。
【図１５】本発明の他の実施形態であるクラブ盗難防止検知機能を実現するためのブロック図である。
【図１６】図１５に長時間の不使用時に電源を断つタイマ機能を追加したブロック図である。
【図１７】盗難防止検知機能を付加したフローを示す図である。
【符号の説明】
【００６８】
１    ゴルフバッグ
２    ゴルフクラブ
３    クラブ区分け部
４    パター専用区分け部
３０  制御部
３１  出力部
３２  クラブ検知手段
３３  スイッチ部
３４  電池
３５  パタースイッチ
３６  スイッチング素子
３７  インバータ
３８  セットスイッチ
４０  外部タイマ制御部
４１  タイマ制御部
４２  外部タイマ用スイッチング素子
４３  タイマリセットスイッチ
６０  クラブ盗難防止検知手段
６１  警報機能作動スイッチ
６２  電気的な操作または機械的な操作機構
６３  表示器
【図１】
2005110826.tif 000003
【図２】
2005110826.tif 000004
【図３】
2005110826.tif 000005
【図４】
2005110826.tif 000006
【図５】
2005110826.tif 000007
【図６】
2005110826.tif 000008
【図７】
2005110826.tif 000009
【図８】
2005110826.tif 000010
【図９】
2005110826.tif 000011
【図１０】
2005110826.tif 000012
【図１１Ａ】
2005110826.tif 000013
【図１１Ｂ】
2005110826.tif 000014
【図１２】
2005110826.tif 000015
【図１３】
2005110826.tif 000016
【図１４】
2005110826.tif 000017
【図１５】
2005110826.tif 000018
【図１６】
2005110826.tif 000019
【図１７】
2005110826.tif 000020
【手続補正書】
【提出日】平成15年12月4日(2003.12.4)
【手続補正１】
【補正対象書類名】図面
【補正対象項目名】図１７
【補正方法】変更
【補正の内容】
【図１７】
2005110826.tif 000021